【事件の表示】
　特願２０００−５６２２９２「繊維機械において糸を切断する方法及び装置」拒絶査定不服審判事件〔平成１２年　２月１０日国際公開、ＷＯ００／０６４７９、平成１４年　７月１６日国内公表、特表２００２−５２１２９４〕について、次のとおり審決する。
【結　論】
　本件審判の請求は、成り立たない。
【理　由】
１．手続の経緯・本願発明 
　本願は、１９９９年７月１９日（パリ条約による優先権主張外国庁受理１９９８年７月２４日、スイス）を国際出願日とする出願であって、その請求項１に係る発明は平成２１年１月１６日付け手続補正で補正された特許請求の範囲、明細書及び図面の記載からみて、その特許請求の範囲の請求項１の記載により特定される次のとおりのものと認める（以下、「本願発明」という）。
「繊維機械において刃（６）により糸を切断する方法であって、糸（９）を構成する材料の特性、すなわち質量、直径、横断面及び切断のために利用される装置の特性を含む特性のグループのうちの少なくとも１つの特性に依存して決められる運動エネルギーが刃（６）に供給されるものにおいて、あらかじめ決められた運動エネルギーに相当する電気エネルギーがコンデンサ（１８）に蓄積され、蓄積されている電気エネルギーが刃（６）の運動エネルギーに変換されるようにコンデンサ（１８）が放電され、こうして動かされる刃（６）が糸を切断することを特徴とする、糸を切断する方法。」
　
２．当審の拒絶理由
　一方、当審において平成２３年１０月２８日付けで通知した拒絶の理由の概要は、
「この出願の請求項１〜４に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。 
 　 
 　　　　　　　　　引　用　文　献　等　一　覧 
 １．特開昭５７−１４５７７５号公報
 ２．特開昭５０−１１５３７０号公報
 ３．特開平８−１４１１５２号公報」
　というものである。
　
３．当審の判断
（１）上記引用文献１には図面と共に下記の事項が記載されている。 
（ア）「２．特許請求の範囲
（１）糸直径の信号受信装置と切断装置とを持つ電子式糸クリーナの切断制御方法において、前記糸信号は前記切断装置の電磁石の動力を前記糸直径に比例して自動的に調節するために使われる切断制御方法。
（２）特許請求の範囲第１項記載の切断制御方法において、前記切断装置の前記電磁石用電圧は前記糸信号により前記糸直径に比例して調節される切断制御方法。」（第１頁左欄第４〜１３行）
（イ）「電子式糸クリーナはボビン又はスプールから走る糸の呼称直径を連続的に検査するのに使われ、呼称直径からの変動が許されない場合、糸切断装置が働き、欠点は次の除動工程時に糸から取除くことが出来る。」（第１頁右欄第１〜５行）
（ウ）「最もしばしば出合う装置は移動可能に置かれた刃と、刃の刃先に面する固定アンビルとを有し、刃は電磁石で駆動される…刃は高速でアンビルに向けて動き、その刃先はその間を通る糸を速かに切断する。
　織機に使われる電子式糸クリーナは広範囲の糸を検査、切断せねばならない。刃の動力はそれゆえ、あり得る最も太い糸を確実に切ることが出来るように数値決めされる。それで細い糸の場合、刃は余分の動力を持ち、糸を切るのにエネルギーの僅かの部分だけが使われるのに、その大部分は刃の刃先とアンビルの変形を起す。それゆえ…切断装置の確実性と使用寿命とは不必要に減少する。
　本発明の目的は、刃の運動力が常に糸の直径と正しく関係し、前記不必要な摩耗が避けられる切断制御方法を得ることである。」（第１頁右欄第７行〜第２頁左上欄第６行）
（エ）「糸の不規則性を正しく測定するため、電子式糸クリーナは常にその開始点で…検査される糸直径に該当する電気信号を必要とする。糸クリーナ内に表われるこの糸信号は本発明により回路を制御するのに使われ、この回路は切断装置の電磁石の動力を糸直径に比例して自動的に調節する。
　第１図で糸直径を表す信号ＵＦは増幅器１の入力に達し、その出力からはパワートランジスタ２のベースに達する。ＵＦの信号レベルと増幅器１の利得とに該当して、低い内部抵抗を持つ電圧がトランジスタ２のエミツタに出される。この電圧は切断装置の電磁石３に供給され、ここからベースレジスタ５を持つスイツチトランジスタ４に供給される。もし糸直径が許されない変動のある点を持つならば、糸クリーナの電子的評価は正のパルスをスイツチトランジスタ４のベースに供給し、電磁石３を経て切断装置を糸を切るよう働らかせる。切断装置上に働く動力は直接糸直径に関係し、即ち電磁石３に加えられる電圧を経てＵＦの信号ＵＦに関係する。」（第２頁左上欄第１１行〜右上欄第１１行）
（オ）「第３図は電圧Ｕ又は電流Ｉによる電磁石３の動力制御を示し、１：１０の比は横軸上に示す糸直径に関連する実際の条件下で起る値にほぼ該当する。完全な切断装置は常に重量と摩擦とのためにいくらかのエネルギ損失を持ち、これは該当する電気力を設けて予め補正せねばならない。それゆえ動力曲線はゼロの方向に連続せず、その代り、最も細い糸の場合でも予め決められた動力レベルに該当する縦軸のある高さの所で水平線上で始まる。」（第２頁左下欄第７〜１６行）
　
　上記（エ）より、糸直径を表す信号ＵＦは増幅器１で増幅されてパワートランジスタ２のベースに達し、ＵＦの信号レベルと増幅器の利得に該当する電圧がパワートランジスタ２のエミツタに出されて切断装置の電磁石３に供給され、スイツチトランジスタ４のベースにパルスが加えられることより前記電磁石に所定期間印加され、切断装置が糸を切るように働かされるものと認められ、以上の記載から、引用文献１には次の発明（以下「引用発明」という）が記載されていると認められる。 
「織機において切断装置の刃により糸を切断する切断制御方法であって、前記切断装置の電磁石の動力を糸直径に比例して自動的に調節する切断制御方法において、前記切断装置の電磁石用電圧を糸直径に比例して調節する切断制御方法。」
　
（２）上記引用文献２には図面と共に下記の事項が記載されている。 
（ア）「まず、被打込体の材質が固く、負荷トルクが大きい場合、可変抵抗（ＶＲ）の抵抗値を低く設定した状態で充電回路（１６）を電源（ＡＣ）に接続し、メインスイッチ（１０）を操作しない第１図の状態において…電解コンデンサ（Ｃ１）の充電電圧は、抵抗値を低く設定した可変抵抗（ＶＲ）の電圧がツェナー電圧になるまでの高い電圧で保持され、この状態で釘打電動工具（６）の釘打出し口（５）を被打込体の所定の釘打箇所に当接するとともに、メインスイッチ（１０）をオン（第２図の点線状態）にすると、電解コンデンサ（Ｃ１）の充電エネルギは電磁ソレノイド（１）に放電され、プランジャ（２）は電磁ソレノイド（１）の消費電力、即ち、駆動力調整器（１１）の可変抵抗（ＶＲ）によって設定された電解コンデンサ（Ｃ１）の高い充電電圧に対応した駆動力で吸引され、マガジン（４）内に収納された釘は固い材質の被打込体に対して強い駆動力で撃鉄（３）を介して釘打出し口（５）から打出され、釘は被打込体の所定の箇所に適切な駆動力で打込まれる。
　次に、被打込体の材質が柔らかく、負荷トルクが小さい場合、可変抵抗（ＶＲ）の抵抗値を高く設定した状態で…電解コンデンサ（Ｃ１）の充電電圧は、抵抗値を高く設定した可変抵抗（ＶＲ）の電圧がツェナー電圧になるまでの低い電圧で保持され、この状態で釘打電動工具（６）の釘打出し口（５）を被打込体の所定の釘打箇所に当接するとともに、メインスイッチをオンにすると、プランジャ（２）は駆動力調整器（１１）の可変抵抗（ＶＲ）によって設定された電解コンデンサ（Ｃ１）の低い充電電圧に対応した駆動力で吸引され、マガジン（４）内に収納された釘は柔い材質の被打込体に対して弱い駆動力で被打込体の所定の箇所に打込まれる。」（第４頁上欄（即ち明細書第７頁）第１１行〜第６頁上欄（即ち明細書第１１頁）第９行）
　
（３）上記引用文献３には図面と共に下記の事項が記載されている。 
（ア）「次いで、上記駆動電流制御回路Ａの動作について説明すると、まず、可変電圧型定電圧回路１１の出力電圧ＥによってコンデンサＣが充電される。コンデンサＣに蓄積された電荷は発射ソレノイド駆動スイッチＳがＯＮすることによって発射駆動コイル（以下発射ソレノイドという）１２に供給される。この場合、ｂ点の駆動電流は図２（ｂ）に示される波形となり、発射ソレノイド１２はＰ点（電流値Ｉ1）において動作させられ、図１（ａ）のように、その可動鉄心３は固定鉄心４に向ってパルス的に吸引され、パチンコ球５がシャープに発射される。そして、駆動電流Ｉはその後急減するため、消費電力をセーブできる効果が発生する。
　また、パチンコ球の発射強度の制御は充電する電圧可変型定電圧回路１１の電圧を制御すればよく、Ｉ1＞Ｉ2であるから、発射強度は波形（Ｉ）の場合の方が波形（ＩＩ）の場合よりも強大である。ここで、（Ｉ），（ＩＩ）の波形図にあるＯＮ表示はソレノイド駆動時間の長さを示している。」（段落【００１０】〜【００１１】）
（イ）「図３（ｂ）に示す如く、発射ソレノイド１２に温度センサ１３を付設し、その温度を温度センサ１３の温度検出回路で読み取り、駆動電流制御回路Ａに反映させる」（段落【００１３】）
　
（４）対比
　本願発明と引用発明を対比すると、引用発明の「織機」、「切断制御方法」は本願発明の「繊維機械」、「糸を切断する方法」に相当し、本願明細書の段落【０００６】の「このグループは、糸を構成する材料の特性、すなわち糸の直径、横断面、質量等、及び切断のために利用する装置の特性を含む。」の記載からみて、引用発明の「糸直径」は、本願発明の「糸を構成する材料の特性」に相当する。
　また、上記（１）（ウ）の記載から、引用発明において電磁石の「動力」は刃の運動力であり、上記（１）（オ）の記載から、当該「動力」は電圧又は電流により制御されるものであって、動力制御は、重量と摩擦によるエネルギ損失を該当する電気力を設けて予め補正するために、最も細い糸の場合でも予め決められた動力レベルに該当する電圧又は電流で始まり、最低でもこのエネルギ損失に該当する電気力が付与されるものと認められるから、ここでスイツチトランジスタにより所定期間印加される電圧又は電流に対応した電気力は本願発明の「電気エネルギー」を意味し、当該電気力が変換される電磁石の「動力」は本願発明の「運動エネルギー」に相当するものと認められる。
　さらに、引用発明において、「切断装置上に働く動力は直接糸直径に関係し、即ち電磁石３に加えられる電圧を経てＵＦの信号ＵＦに関係」し（上記（１）（エ）参照）、糸直径を表す信号ＵＦは切断装置の電磁石用電圧を経て切断装置上に働く動力に関係するのであり、引用発明の「切断装置の電磁石用電圧を糸直径に比例して調節する」ことと、本願発明の「あらかじめ決められた運動エネルギーに相当する電気エネルギーがコンデンサに蓄積され、蓄積されている電気エネルギーが刃の運動エネルギーに変換されるようにコンデンサが放電され、こうして動かされる刃が糸を切断する」ことは、（糸直径に依存して）決められた運動エネルギーに相当する電気エネルギーが刃の運動エネルギーに変換されるようにして、動かされる刃が糸を切断することである限りにおいて一致する。
　したがって、本願発明と引用発明は、
「繊維機械において刃により糸を切断する方法であって、糸を構成する材料の特性に依存して決められる運動エネルギーが刃に供給されるものにおいて、あらかじめ決められた運動エネルギーに相当する電気エネルギーが刃の運動エネルギーに変換されるようにして、動かされる刃が糸を切断する、糸を切断する方法。」
である点で一致し、以下の点で相違する。 
　
［相違点］
　本願発明では、決められた運動エネルギーに相当する電気エネルギーがコンデンサに蓄積された電気エネルギーであり、蓄積されている電気エネルギーが刃の運動エネルギーに変換されるようにコンデンサが放電されるのに対して、引用発明では、切断装置の電磁石用電圧を糸直径に比例して調節することで決められた電気エネルギーが切断装置の電磁石に供給され、刃の運動エネルギーに変換される点。
　
　そこで、上記相違点について検討すると、一般に、電磁石（ソレノイド）の駆動力（本願の「運動エネルギー」に相当）に変換される電気エネルギーを制御するに当たって、決められた運動エネルギーに相当する電気エネルギーがコンデンサに（電圧の二乗に対応して）蓄積され、蓄積されている電気エネルギーが電磁石で駆動される運動エネルギーに変換されるようにコンデンサが放電することは周知技術にすぎず（上記「３．（２）」、「３．（３）」参照）、引用発明において、パワートランジスタ２の出力制御に替えて、このような方法で電磁石の駆動力に変換される電気エネルギーを制御することは当業者が容易になし得たものと認める。
　
　また、本願発明の作用効果も、引用発明及び周知技術から当業者が予測できる範囲のものであり、格別顕著なものと認められない。
　
　したがって、本願発明は引用発明及び周知技術に基づいて、当業者が容易に発明をすることができたものであって、特許法第２９条第２項の規定により特許を受けることができないものである。
　
４．むすび
　以上より、本願発明は、当審で通知した上記拒絶の理由によって拒絶をすべきものであり、結論のとおり審決する。